(57)【特許請求の範囲】
【請求項１】
上部構造、下部構造、及び、左右構造を有する間口に対して複数の戸体が配置されることにより仕切りを形成する間仕切り構造であって、
前記間口の内側に配置される前記複数の戸体と、
前記間口を構成する部材に設けられた被連結部材と、
上部カバー及び下部カバーと、を有し、
前記戸体は、
前記間口の縁に沿って配置される部位には前記被連結部材に対して見込み方向一方側から重なるように前記被連結部材に係合可能な連結部材を有し、
前記被連結部材は上部被連結部材及び下部被連結部材を有し、
前記上部被連結部材は、前記上部構造の長手方向に沿って配置され、前記上部構造のうち前記下部構造に対向する面に固定されており、前記上部構造の面に沿って配置される片、該片から見付方向内側に延びる少なくとも１つの立設した片を具備し、
前記下部被連結部材は前記下部構造の長手方向に沿って配置され、前記上部構造側に突出して固定され、
前記連結部材は上部連結部材及び下部連結部材を有し、
前記上部連結部材は前記戸体の上端部から突出するように設けられ、
前記下部連結部材は前記戸体の下端部から突出するように設けられ、
前記上部連結部材及び前記下部連結部材はそれぞれ前記上部カバー及び前記下部カバーを固定するための係合片を具備し、
前記上部連結部材及び前記下部連結部材は、それぞれ前記上部被連結部材の前記立設した片及び前記下部被連結部材の１つの面に対して見込み方向一方側から重なって接触するように配置され、固定部材により固定されており、
前記上部連結部材及び前記下部連結部材は、それぞれ前記上部カバー及び前記下部カバーと前記係合片により係合されており、
前記複数の戸体の端部同士が突き合わされて連結される部位は、相欠き継ぎ形状とされている、間仕切り構造。
【請求項２】
前記戸体の突き合わされた端部には、前記相欠き継ぎ形状の一方をなすシール部材が配置される、請求項１に記載の間仕切り構造。
【発明の詳細な説明】
【技術分野】
【０００１】
本発明は、複数のパネルが並べられて配置されることにより空間を仕切る間仕切り構造に関する。
【背景技術】
【０００２】
建物の室内空間を複数のパネルを並べた間仕切りにより区切ることが行われる。室内空間を仕切る間仕切りであれば、パネル間の水密性や気密性は特に問題にはならない。しかしながら、間仕切りで仕切られる一方が屋外である場合、単にパネルを並べるだけでは足りず、水密及び気密を取ることが必要である。
【０００３】
特許文献１には、間仕切りの接続構造が開示されている。これによれば、一方の間仕切りの突合せ側の端面に凸部、他方の間仕切りの突合せ側の端面に凹部が設けられており、これを突き合わせることによって光漏れを防止することができる旨が記載されている。
【先行技術文献】
【特許文献】
【０００４】
【特許文献１】特開２００６−３４２５５８号公報
【発明の概要】
【発明が解決しようとする課題】
【０００５】
しかしながら、特許文献１に記載のような従来の間仕切りでは、間口が決まっている内側に複数のパネルを配置する場合、パネル端部同士を突き合わせる際には、一方のパネルを少し離れた部位に取り付け、パネルをスライドさせて、端部同士を突き合わせる必要があった。又は、スライドさせずにパネルを取り付けるためには襖のように、隣り合うパネル同士で見込み方向に段差が生じてしまっていた。
【０００６】
そこで本発明は上記の問題点に鑑み、決まった間口に複数の戸体が配置された間仕切り構造において、水密気密を取りつつも、簡易に連続施工することができるとともに、見込み方向に段差も生じない間仕切り構造を提供することを課題とする。
【課題を解決するための手段】
【０００７】
以下、本発明について説明する。ここではわかりやすさのため、図面の参照符号を括弧書きで付記するが、本発明はこれに限定されるものではない。
【０００８】
請求項１に記載の発明は、上部構造、下部構造、及び、左右構造を有する間口に対して複数の戸体（２０）が配置されることにより仕切りを形成する間仕切り構造であって、間口の内側に配置される複数の戸体と、間口を構成する部材に設けられた被連結部材（５０、６０）と、上部カバー（３０）及び下部カバー（４０）と、を有し、戸体は、間口の縁に沿って配置される部位には被連結部材に対して見込み方向一方側から重なるように被連結部材に係合可能な連結部材（２３、２４、２１ｂ、２２ｂ）を有し、被連結部材は上部被連結部材（５０）及び下部被連結部材（６０）を有し、上部被連結部材は、上部構造の長手方向に沿って配置され、上部構造のうち下部構造に対向する面に固定されており、上部構造の面に沿って配置される片（５０ａ）、該片から見付方向内側に延びる少なくとも１つの立設した片（５０ｂ）を具備し、下部被連結部材は下部構造の長手方向に沿って配置され、上部構造側に突出して固定され、連結部材は上部連結部材（２３）及び下部連結部材（２４）を有し、上部連結部材は戸体の上端部から突出するように設けられ、下部連結部材は戸体の下端部から突出するように設けられ、上部連結部材及び下部連結部材はそれぞれ上部カバー及び下部カバーを固定するための係合片（２３ａ、２３ｂ）を具備し、上部連結部材及び下部連結部材は、それぞれ上部被連結部材の立設した片及び下部被連結部材の１つの面に対して見込み方向一方側から重なって接触するように配置され、固定部材（６１）により固定されており、上部連結部材及び下部連結部材は、それぞれ上部カバー及び下部カバーと係合片により係合されており、複数の戸体の端部同士が突き合わされて連結される部位は、相欠き継ぎ形状（２１ｂ、２２ｂ）とされている、間仕切り構造である。
【０００９】
請求項２に記載の発明は、請求項１に記載の間仕切り構造において、戸体（２０）
の突き合わされた端部には、相欠き継ぎ（２１ｂ、２２ｂ）形状の一方をなすシール部材
が配置される。
【発明の効果】
【００１０】
本発明によれば、水密気密が確保される構造であるにもかからわず、戸体を所定の間口に配置する際に、見付方向にスライドさせるように移動する必要がなく、戸体を簡易に施工することが可能である。また、その際には隣接する戸体との関係で見込み方向に段差を生じることがないので外観も良好である。
【図面の簡単な説明】
【００１１】
【図１】１つの実施形態にかかる間仕切りを正面から見た図である。
【図２】間仕切りの分解斜視図である。
【図３】間仕切りの鉛直方向の分解断面図である。
【図４】戸体の上端及び縦方向端部の構造を説明する図である。
【図５】戸体同士の連結を説明する図である。
【発明を実施するための形態】
【００１２】
本発明のこのような作用及び利得は、次に説明する発明を実施するための形態から明らかにされる。以下本発明を図面に示す実施形態に基づき説明する。ただし、本発明はこれら実施形態に限定されるものではない。
【００１３】
図１は、１つの実施形態にかかる間仕切り１０を正面から見た図である。また図２は間仕切り１０の分解斜視図である。図３には間仕切り１０の鉛直方向断面図を表している。図１〜図３には間仕切り１０を設置する間口を構成する枠体１を併せて示している。
図１、図２からわかるように、間仕切り１０は、所定の間口の内側に配置され、空間を仕切る機能を有する。本実施形態では間仕切り１０が設置されるべき間口として枠体１を示したが、間口として枠体が形成されている必要はなく、例えば上部は天井、下部床、左右は柱というような間口であってもよい。すなわち間口としては、間仕切りが設置されるべき上部構造、下部構造、及び左右構造が存すればよく、その形態は特に限定されない。
図１〜図３、及び適宜示す図を参照しつつ間仕切り１０について説明する。
【００１４】
間仕切り１０は、戸体２０、上部カバー３０、下部カバー４０、上部被連結部材５０、及び下部被連結部材６０を有している。
【００１５】
戸体２０は全体として板状の部材であり、空間を仕切る機能を有するものである。本実施形態の間仕切り１０では２つの戸体２０が設けられているが、これに限定されることなく３つ以上の複数の戸体が設けられてもよい。
【００１６】
図４には、図２に示した斜視図のうち戸体２０の上端部を拡大した斜視図を表した。図４に戸体２０の縦方向端部の構造及び上端部の構造が表れ、図３に戸体２０の上下端部の構造が表れている。図３、図４からわかるように、戸体２０には第一縦連結部材２１、第二縦連結部材２２、連結部材としての上部連結部材２３、及び連結部材としての下部連結部材２４が備えられている。
【００１７】
第一縦連結部材２１は戸体２０の一方の縦辺の長手方向に沿って配置される一方向に長い長尺の部材であり、その断面形状が図４に表れている。第一縦連結部材２１は、戸体２０の見付方向に延び、戸体２０に第一縦連結部材２１を固定するための片である２つの係合片２１ａ、２１ａを有している。これにより第一縦連結部材２１が戸体２０の縦辺に沿って固定される。
また、第一縦連結部材２１は戸体２０の縦方向端部から見付方向に突出するように設けられた突出部２１ｂを有している。突出部２１ｂは戸体２０の見込み方向（厚さ方向）の一方側に寄せられるように設けられる。すなわち突出部２１ｂは、後で説明するように隣接する戸体２０の突出部２２ｂとの関係でいわゆる相欠き継ぎ形状を形成する。
【００１８】
第二縦連結部材２２は、上記第一縦連結部材２１が配置される縦辺とは反対側の戸体２０の縦辺の長手方向に沿って配置される一方向に長い長尺の部材であり、その断面形状が図４に表れている。第二縦連結部材２２は、戸体２０の見付方向に延び、戸体２０に第二縦連結部材２２を固定するための片である２つの係合片２２ａ、２２ａを有している。これにより第二縦連結部材２２が戸体２０の縦辺に沿って固定される。
また、第二縦連結部材２２は戸体２０の縦方向端部から見付方向に突出するように設けられた突出部２２ｂを有している。突出部２２ｂは戸体２０の見込み方向（厚さ方向）の一方側に寄せられるように設けられる。ただし、当該一方側は、上記した第一縦連結部材２１の突出部２１ｂとは反対側である。これにより突出部２２ｂは、後述するように、隣接する戸体２０の突出部２１ｂとの関係で相欠き継ぎ形状を形成する。
【００１９】
上部連結部材２３は、連結部材として機能し、戸体２０の上辺の長手方向に沿って配置される一方向に長い長尺の部材であり、その断面形状が図３、図４に表れている。上部連結部材２３は戸体２０の上端部から突出するように設けられる部材である。また、上部連結部材２３には、後述する上部カバー３０を固定するための係合片２３ａを具備している。
【００２０】
下部連結部材２４は、連結部材として機能し、戸体２０の下辺の長手方向に沿って配置される一方向に長い長尺の部材であり、その断面形状が図３に表れている。下部連結部材２４は戸体２０の下端部から突出するように設けられる部材である。また、下部連結部材２４には、後述する下部カバー４０を固定するための係合片２４ａを具備している。
【００２１】
図２、図３に戻り上部カバー３０について説明する。上部カバー３０は、上記した上部連結部材２３に沿って、該上部連結部材２３に被せられるように配置される一方に長い板状の部材である。上部カバー３０には上部連結部材２３の係合片２３ａに係合する被係合片３０ａを有している。
【００２２】
下部カバー４０は、図２、図３からわかるように、上記した下部連結部材２４に沿って、該下部連結部材２４に被せられるように配置される一方に長い板状の部材である。下部カバー４０には下部連結部材２４の係合片２４ａに係合する被係合片４０ａを有している。また、下部カバー４０は下部被連結部材６０を正面視から隠蔽するように見付方向に延びる被覆片４０ｂを備えている。
【００２３】
上部被連結部材５０は、被連結部材として機能し、本実施形態では枠体１の上枠材１ａの長手方向に沿って配置される一方向に長い長尺の部材であり、上枠材１ａのうち下枠材１ｂに対向する面に固定されている。図３に上部被連結部材５０の断面形状が表れている。
上部被連結部材５０は、上枠材１ａの面に沿って配置される片５０ａ、及び片５０ａから見付方向内側に延びる片５０ｂ、５０ｃを具備している。
【００２４】
下部被連結部材６０は、被連結部材として機能し、本実施形態では枠体１の下枠材１ｂの長手方向に沿って配置される一方向に長い断面矩形の中空の長尺の部材であり、下枠材１ｂに嵌め込まれるように、上枠材１ａ側に突出して固定されている。図３に下部被連結部材６０の断面形状が表れている。
【００２５】
次に、以上説明した各構成部材の組み合わせ過程の１つの例を説明し、併せて、組み上げられた間仕切り１０の構造について説明する。
【００２６】
初めに、図３に表れるとともに、上記したように上部被連結部材５０及び下部被連結部材６０をそれぞれ枠体１に固定する。本実施形態では上部被連結部材５０及び下部被連結部材６０が枠体１に固定されている形態を説明したが本発明はこれに限定されない。例えば、上部被連結部材５０が天井に固定され、下部被連結部材６０が床面に固定されている形態であってもよい。
【００２７】
次に２枚の戸体２０を間口としての枠体１の枠内に配置する。戸体２０は、いずれの戸体２０も図２に破線矢印で示したように、枠体１の枠内に間口に対してその面を見込み方向（戸体２０の厚さ方向）の一方側から被せるように取り付ける。詳しくは次の通りである。
戸体２０の上端部は図３に表れているように、戸体２０の上端面から突出した上部連結部材２３が、上部被連結部材５０の片５０ｂに対して見込み方向一方側から（戸体２０の厚さ方向一方側から）重なって接触するように配置し、ネジ等の固定部材５１により固定する。このとき、上部連結部材２３と片５０ｂとの間にシール材を挟んでもよい。これにより止水性及び気密性を向上させることができる。
戸体２０の下端部は図３に表れているように、戸体２０の下端面から突出した下部連結部材２４が、下部被連結部材６０の１つの面に対して、見込み方向一方側から（戸体２０の厚さ方向一方側から）重なって接触するように配置し、ネジ等の固定部材６１により固定する。このとき、下部連結部材２４と下部被連結部材６０ｂとの間にシール材が挟んでもよい。これにより止水性及び気密性を向上させることができる。
【００２８】
一方、２枚の戸体２０のうち、隣り合う戸体２０同士の連結部分は、図５に示したように、一方の戸体２０の突出部２１ｂと他方の戸体２０の突出部２２ｂとが相欠き継ぎ形状で組み合わせられる。すなわち、先に一方の戸体２０を枠体１の枠内に固定し、次に他方の戸体２０を枠体１の枠内に配置するに際し、隣り合う戸体２０の連結部分は、その端部同士が相欠き継ぎ形状で組み合わされており、突出部２１ｂと突出部２２ｂとが厚さ方向に並ぶように配置される。このとき、突出部２１ｂと突出部２２ｂとの間にシール材が挟まれてもよい。又は、当該相欠き継ぎ形状を形成する突出部２１ｂ、２２ｂのうち少なくとも一方が、シール材により形成されていてもよい。これにより止水性及び気密性を向上させることができる。
【００２９】
なお、戸体２０と枠体１の縦枠材１ｃ（図１、図２参照）との連結部分には、予め縦枠材１ｃに不図示の被連結部材が縦枠材１ｃの長手方向に沿って設けられている。当該不図示の被連結部材は連結すべき戸体２０の突出部２１ｂ、２２ｂに対応する相欠き継ぎ形状を具備している。そして当該被連結部材と突出部２１ｂ、２２ｂとがネジ等の固定部材により固定される。なお、この際には突出部２１ｂ、２２ｂは被連結部材に連結する連結部材として機能する。
ここでこの縦枠材１ｃに設けられる被連結部材と連結部材として機能する戸体２０の突出部２１ｂ、２２ｂとの間にシール材が挟まれてもよい。これにより止水性及び気密性を向上させることができる。
【００３０】
次に図２、図３からわかるように上部カバー部材３０が上部連結部材２３に被せられるように取り付けられる。当該取り付けは、上部連結部材２３の係合片２３ａと上部カバー部材３０の被係合片３０ａとを係合させることにより行う。これにより固定部材５１が隠蔽されて外観の向上が図られる。
さらに図２、図３からわかるように下部カバー部材４０が下部連結部材２４に被せられるように取り付けられる。当該取り付けは、下部連結部材２４の係合片２４ａと下部カバー部材４０の被係合片４０ａとを係合させることにより行う。これにより固定部材６１が隠蔽されて外観の向上が図られる。
【００３１】
以上のように、間仕切り１０によれば、水密気密が確保される構造であるにもかからわず、戸体２０を所定の間口に配置する際に、それぞれの戸体を間口に対して見込み方向一方側から被せるのみでよく、見付方向に移動する必要がない。また、見付方向に移動する必要がないので、最後の戸体を配置した部位に隙間を埋めるような部材も必要ない。従って間仕切り１０は、水密気密構造が確保される間仕切りを簡易に施工することが可能な構造を具備している。
また、隣合う戸体２０同士で見込み方向に段差を生じることがないので、外観の優れたものとすることができる。
【００３２】
間仕切り１０は水密気密を有しているので屋外に面した部位の間仕切りとして利用することもでき、例えば戸体で囲むように構成すれば収納庫のような形態も可能である。
【符号の説明】
【００３３】
１  枠体
１０  間仕切り
２０  戸体
２３  上部連結部材（連結部材）
２４  下部連結部材（連結部材）
３０  上部カバー部材
４０  下部カバー部材
５０  上部被連結部材（被連結部材）
６０  下部被連結部材（被連結部材）
【図１】
0006001905.tif 000002
【図２】
0006001905.tif 000003
【図３】
0006001905.tif 000004
【図４】
0006001905.tif 000005
【図５】
0006001905.tif 000006